(57)【要約】【課題】一度閲覧した特定の表示領域の文章画像や複数のユーザにより閲覧された表示領域の文章画像をユーザの簡単な操作で再現可能にする。【解決手段】携帯電話に表示されている文章画像の保存が指示されると、携帯電話は、現在表示中の文章画像とともに該文章画像の縮小画像を、閲覧中の文章ファイルに関連付けて内部メモリに保存する。その後、携帯電話から再びファイル情報が入力され、該ファイル情報に対応する文章画像が内部メモリに保存されていることが確認されると、該文章画像の縮小画像を含む前記文章画像の選択が可能な一覧を表示させ、この一覧上で過去に閲覧した所望の縮小画像が選択されると、該縮小画像に対応する文章画像を内部メモリから読み出して表示させる。【選択図】  図３
2012113351.tif 000002
【特許請求の範囲】
【請求項１】
携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、
ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、
前記携帯端末は、ユーザの操作により前記表示手段に表示されている現在の文章画像の保存が指示されると、該文章画像とともに該文章画像の縮小画像を閲覧中の文章ファイルに関連付けて内部メモリに保存し、前記入力手段によりファイル情報が入力されると、該ファイル情報に対応する文章画像が前記内部メモリに保存されているか否かを確認し、前記ファイル情報に対応する文章画像が保存されていることが確認されると、該文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を前記内部メモリから読み出して前記表示手段に表示させることを特徴とする文章閲覧システムの画面操作支援方法。
【請求項２】
携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、
ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、
前記携帯端末は、ユーザの操作により前記表示手段に表示されている現在の文章画像の保存が指示されると、該保存指示された文章画像を示す表示情報を前記処理サーバに送信し、
前記処理サーバは、前記保存指示された文章画像を示す表示情報を受信すると、閲覧中の文章ファイルに関連付けて前記保存指示された文章画像に対応する表示情報を第１の内部メモリに保存し、
前記処理サーバは、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を前記携帯端末に送信し、
前記携帯端末は、前記表示情報と縮小画像とを受信すると、該表示情報に対応する文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を示す表示情報を前記処理サーバに送信し、
前記処理サーバは、前記縮小画像に対応する文章画像を示す表示情報を受信すると、該表示情報に対応する文章画像を前記携帯端末に送信し、
前記携帯端末は、前記送信された文章画像を前記表示手段に表示することを特徴とする文章閲覧システムの画面操作支援方法。
【請求項３】
携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、
ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、
前記携帯端末は、ユーザの操作により前記表示手段に表示されている現在の文章画像の保存が指示されると、該保存指示された文章画像を示す表示情報を前記処理サーバに送信し、
前記処理サーバは、前記保存指示された文章画像を示す表示情報を受信すると、閲覧中の文章ファイルに関連付けて前記保存指示された文章画像に対応する表示情報を第１の内部メモリに保存し、
前記処理サーバは、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記携帯端末に送信し、
前記携帯端末は、前記一覧を受信すると、該一覧を前記表示手段に表示させ、ユーザの操作により前記表示手段に表示された一覧から所望の縮小画像が選択されると、該縮小画像に対応する文章画像を示す表示情報を前記処理サーバに送信し、
前記処理サーバは、前記縮小画像に対応する文章画像を示す表示情報を受信すると、該表示情報に対応する文章画像を前記携帯端末に送信し、
前記携帯端末は、前記送信された文章画像を前記表示手段に表示することを特徴とする文章閲覧システムの画面操作支援方法。
【請求項４】
携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、
ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、
前記携帯端末は、ユーザの操作により前記表示手段に表示されている現在の文章画像の保存が指示されると、該保存指示された文章画像を示す表示情報を前記処理サーバに送信し、
前記処理サーバは、前記保存指示された文章画像を示す表示情報を受信すると、閲覧中の文章ファイルに関連付けて前記保存指示された文章画像とともに該文章画像に対応する表示情報を第１の内部メモリに保存し、
前記処理サーバは、前記携帯端末からファイル情報を受信すると、該ファイル情報に対応する文章画像が前記第１の内部メモリに保存されているか否かを確認し、保存されていることが確認されると、該ファイル情報に関連付けて前記第１の内部メモリに保存されている文章画像及び表示情報とともに、該表示情報に対応する文章画像の縮小画像を前記携帯端末に送信し、
前記携帯端末は、前記文章画像と表示情報と縮小画像とを受信すると、前記文章画像を第２の内部メモリに保存するとともに、前記表示情報に対応する文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を前記第２の内部メモリから読み出して前記表示手段に表示させることを特徴とする文章閲覧システムの画面操作支援方法。
【請求項５】
携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、
ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、
前記携帯端末は、ユーザの操作により前記表示手段に表示されている現在の文章画像の保存が指示されると、該保存指示された文章画像を示す表示情報を前記処理サーバに送信し、
前記処理サーバは、前記保存指示された文章画像を示す表示情報を受信すると、閲覧中の文章ファイルに関連付けて前記保存指示された文章画像とともに該文章画像に対応する表示情報を第１の内部メモリに保存し、
前記処理サーバは、前記携帯端末からファイル情報を受信すると、該ファイル情報に対応する文章画像が前記第１の内部メモリに保存されているか否かを確認し、保存されていることが確認されると、該ファイル情報に関連付けて前記第１の内部メモリに保存されている文章画像とともに、該表示情報に対応する文章画像の縮小画像を含む前記文章画像の選択が可能な一覧を前記携帯端末に送信し、
前記携帯端末は、前記文章画像と一覧とを受信すると、前記文章画像を第２の内部メモリに保存するとともに、前記一覧を前記表示手段に表示させ、ユーザの操作により前記表示手段に表示された一覧から所望の縮小画像が選択されると、該縮小画像に対応する文章画像を前記第２の内部メモリから読み出して前記表示手段に表示させることを特徴とする文章閲覧システムの画面操作支援方法。
【請求項６】
携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、
ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、
前記処理サーバは、複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、
前記処理サーバは、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を前記携帯端末に送信し、
前記携帯端末は、前記表示情報と縮小画像とを受信すると、該表示情報に対応する文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を示す表示情報を前記処理サーバに送信し、
前記処理サーバは、前記縮小画像に対応する文章画像を示す表示情報を受信すると、該表示情報に対応する文章画像を前記携帯端末に送信し、
前記携帯端末は、前記送信された文章画像を前記表示手段に表示することを特徴とする文章閲覧システムの画面操作支援方法。
【請求項７】
携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、
ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、
前記処理サーバは、複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、
前記処理サーバは、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記携帯端末に送信し、
前記携帯端末は、前記一覧を受信すると、該一覧を前記表示手段に表示させ、ユーザの操作により前記表示手段に表示された一覧から所望の縮小画像が選択されると、該縮小画像に対応する文章画像を示す表示情報を前記処理サーバに送信し、
前記処理サーバは、前記縮小画像に対応する文章画像を示す表示情報を受信すると、該表示情報に対応する文章画像を前記携帯端末に送信し、
前記携帯端末は、前記送信された文章画像を前記表示手段に表示することを特徴とする文章閲覧システムの画面操作支援方法。
【請求項８】
携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、
ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、
前記処理サーバは、複数のユーザの携帯端末から受信した文章ファイルの文章中の表示領域を示す表示情報に基づいて閲覧頻度の高い文章画像に対応する表示情報を算出し、前記閲覧頻度の高い文章画像とともに該文章画像に対応する表示情報を前記文章ファイルに関連付けて第１の内部メモリに保存し、
前記処理サーバは、前記携帯端末からファイル情報を受信すると、該ファイル情報に対応する文章画像が前記第１の内部メモリに保存されているか否かを確認し、保存されていることが確認されると、該ファイル情報に関連付けて前記第１の内部メモリに保存されている文章画像及び表示情報とともに、該表示情報に対応する文章画像の縮小画像を前記携帯端末に送信し、
前記携帯端末は、前記文章画像と表示情報と縮小画像とを受信すると、前記文章画像を第２の内部メモリに保存するとともに、前記表示情報に対応する文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を前記第２の内部メモリから読み出して前記表示手段に表示させることを特徴とする文章閲覧システムの画面操作支援方法。
【請求項９】
携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、
ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、
前記処理サーバは、複数のユーザの携帯端末から受信した文章ファイルの文章中の表示領域を示す表示情報に基づいて閲覧頻度の高い文章画像に対応する表示情報を算出し、前記閲覧頻度の高い文章画像とともに該文章画像に対応する表示情報を前記文章ファイルに関連付けて第１の内部メモリに保存し、
前記処理サーバは、前記携帯端末からファイル情報を受信すると、該ファイル情報に対応する文章画像が前記第１の内部メモリに保存されているか否かを確認し、保存されていることが確認されると、該ファイル情報に関連付けて前記第１の内部メモリに保存されている文章画像とともに、該表示情報に対応する文章画像の縮小画像を含む前記文章画像の選択が可能な一覧を前記携帯端末に送信し、
前記携帯端末は、前記文章画像と一覧とを受信すると、前記文章画像を第２の内部メモリに保存するとともに、前記一覧を前記表示手段に表示させ、ユーザの操作により前記表示手段に表示された一覧から所望の縮小画像が選択されると、該縮小画像に対応する文章画像を前記第２の内部メモリから読み出して前記表示手段に表示させることを特徴とする文章閲覧システムの画面操作支援方法。
【請求項１０】
前記処理サーバは、前記文章画像を前記文章ファイルに関連付けて前記第１の内部メモリに記録することを特徴とする請求項２、３、６又は７に記載の文章閲覧システムの画面操作支援方法。
【請求項１１】
前記文章画像の選択が可能な一覧は、前記文章ファイルのファイル全体を示すサムネイル画像と、該ファイル全体を示すサムネイル画像上にマッピングされた前記文章画像に対応する領域を示す領域情報とを有し、
前記携帯端末は、ユーザの操作により前記表示手段に表示された前記ファイル全体を示すサムネイル画像上にマッピングされた領域情報から所望の領域情報が選択されると、該選択された領域情報に対応する文章画像を前記表示手段に表示させることを特徴とする請求項１から１０のいずれか１項に記載の文章閲覧システムの画面操作支援方法。
【請求項１２】
前記携帯端末は、前記内部メモリに保存された文章画像のうち所定期間以上閲覧されていない文章画像、又は前記内部メモリに新規の文章画像を記録する際に該内部メモリの記憶容量を越える場合には保存時期の古い順に文章画像を削除することを特徴とする請求項１に記載の文章閲覧システムの画面操作支援方法。
【請求項１３】
前記携帯端末は、文章閲覧の終了後に前記第２の内部メモリに保存した文章画像を消去することを特徴とする請求項４、５、８又は９に記載の文章閲覧システムの画面操作支援方法。
【請求項１４】
処理サーバと携帯端末とからなる文書閲覧システムにおいて、
前記処理サーバは、
前記携帯端末との間で情報の送受信を行う第１の通信手段と、
前記第１の通信手段を介して前記携帯端末から閲覧用の文章ファイルを示すファイル情報を受信すると、その受信したファイル情報に基づいてストレージから対応する文章ファイルを取得する手段と、
前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備え、
前記携帯端末は、
ユーザの操作によりファイル情報、表示情報、文章画像の保存を指示する情報、及び文章画像の選択が可能な一覧から所望の縮小画像の選択を入力する入力手段と、
前記入力手段により入力されたファイル情報及び表示情報を前記処理サーバに送信するとともに、前記処理サーバから送信された文章画像を受信する第２の通信手段と、
前記第２の通信手段を介して受信した文章画像を表示する表示手段と、
前記入力手段により前記表示手段に表示されている現在の文章画像の保存を指示する情報が入力されると、該文章画像とともに該文章画像の縮小画像を閲覧中の文章ファイルに関連付けて内部メモリに保存し、前記入力手段によりファイル情報が入力されると、該ファイル情報に対応する文章画像が前記内部メモリに保存されているか否かを確認し、前記ファイル情報に対応する文章画像が保存されていることが確認されると、該文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を前記内部メモリから読み出して前記表示手段に表示させる制御手段と、を備えたことを特徴とする文章閲覧システム。
【請求項１５】
処理サーバと携帯端末とからなる文書閲覧システムにおいて、
前記処理サーバは、
前記携帯端末との間で情報の送受信を行う第１の通信手段と、
前記第１の通信手段を介して前記携帯端末から閲覧用の文章ファイルを示すファイル情報を受信すると、その受信したファイル情報に基づいてストレージから対応する文章ファイルを取得する手段と、
前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、
前記携帯端末により保存指示された文章画像を示す表示情報を受信すると、該携帯端末で閲覧中の文章ファイルに関連付けて前記保存指示された文章画像に対応する表示情報を第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を前記携帯端末に送信する第１の制御手段と、を備え、
前記携帯端末は、
ユーザの操作によりファイル情報、表示情報、文章画像の保存を指示する情報、及び文章画像の選択が可能な一覧から所望の縮小画像の選択を入力する入力手段と、
前記入力手段により入力されたファイル情報及び表示情報を前記処理サーバに送信するとともに、前記処理サーバから送信された文章画像を受信する第２の通信手段と、
前記第２の通信手段を介して受信した文章画像を表示する表示手段と、
前記処理サーバから表示情報と縮小画像とを受信すると、該表示情報に対応する文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる第２の制御手段と、を備えたことを特徴とする文章閲覧システム。
【請求項１６】
処理サーバと携帯端末とからなる文書閲覧システムにおいて、
前記処理サーバは、
前記携帯端末との間で情報の送受信を行う第１の通信手段と、
前記第１の通信手段を介して前記携帯端末から閲覧用の文章ファイルを示すファイル情報を受信すると、その受信したファイル情報に基づいてストレージから対応する文章ファイルを取得する手段と、
前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、
前記携帯端末により保存指示された文章画像を示す表示情報を受信すると、該携帯端末で閲覧中の文章ファイルに関連付けて前記保存指示された文章画像に対応する表示情報を第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記第１の通信手段を介して前記携帯端末に送信させる第１の制御手段と、を備え、
前記携帯端末は、
ユーザの操作によりファイル情報、表示情報、文章画像の保存を指示する情報、及び文章画像の選択が可能な一覧から所望の縮小画像の選択を入力する入力手段と、
前記入力手段により入力されたファイル情報及び表示情報を前記処理サーバに送信するとともに、前記処理サーバから送信された文章画像を受信する第２の通信手段と、
前記第２の通信手段を介して受信した文章画像を表示する表示手段と、
前記処理サーバから前記一覧を受信すると、該一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる第２の制御手段と、を備えたことを特徴とする文章閲覧システム。
【請求項１７】
処理サーバと携帯端末とからなる文書閲覧システムにおいて、
前記処理サーバは、
前記携帯端末との間で情報の送受信を行う第１の通信手段と、
前記第１の通信手段を介して前記携帯端末から閲覧用の文章ファイルを示すファイル情報を受信すると、その受信したファイル情報に基づいてストレージから対応する文章ファイルを取得する手段と、
前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、
前記携帯端末により保存指示された文章画像を示す表示情報を受信すると、該携帯端末で閲覧中の文章ファイルに関連付けて前記保存指示された文章画像に対応する表示情報を第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている文章画像及び表示情報とともに、該表示情報に対応する文章画像の縮小画像を前記第１の通信手段を介して前記携帯端末に送信させる第１の制御手段と、を備え、
前記携帯端末は、
ユーザの操作によりファイル情報、表示情報、文章画像の保存を指示する情報、及び文章画像の選択が可能な一覧から所望の縮小画像の選択を入力する入力手段と、
前記入力手段により入力されたファイル情報及び表示情報を前記処理サーバに送信するとともに、前記処理サーバから送信された文章画像を受信する第２の通信手段と、
前記第２の通信手段を介して受信した文章画像を表示する表示手段と、
前記処理サーバから前記文章画像と表示情報と縮小画像とを受信すると、前記文章画像を第２の内部メモリに保存するとともに、前記表示情報に対応する文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を前記第２の内部メモリから読み出して前記表示手段に表示させる第２の制御手段と、を備えたことを特徴とする文章閲覧システム。
【請求項１８】
処理サーバと携帯端末とからなる文書閲覧システムにおいて、
前記処理サーバは、
前記携帯端末との間で情報の送受信を行う第１の通信手段と、
前記第１の通信手段を介して前記携帯端末から閲覧用の文章ファイルを示すファイル情報を受信すると、その受信したファイル情報に基づいてストレージから対応する文章ファイルを取得する手段と、
前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、
前記携帯端末により保存指示された文章画像を示す表示情報を受信すると、該携帯端末で閲覧中の文章ファイルに関連付けて前記保存指示された文章画像に対応する表示情報を第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記第１の通信手段を介して前記携帯端末に送信させる第１の制御手段と、を備え、
前記携帯端末は、
ユーザの操作によりファイル情報、表示情報、文章画像の保存を指示する情報、及び文章画像の選択が可能な一覧から所望の縮小画像の選択を入力する入力手段と、
前記入力手段により入力されたファイル情報及び表示情報を前記処理サーバに送信するとともに、前記処理サーバから送信された文章画像を受信する第２の通信手段と、
前記第２の通信手段を介して受信した文章画像を表示する表示手段と、
前記処理サーバから前記文章画像と一覧とを受信すると、前記文章画像を第２の内部メモリに保存するとともに、前記一覧を前記表示手段に表示させ、前記入力手段により前記表示手段に表示された一覧から所望の縮小画像が選択されると、該縮小画像に対応する文章画像を前記第２の内部メモリから読み出して前記表示手段に表示させる第２の制御手段と、を備えたことを特徴とする文章閲覧システム。
【請求項１９】
処理サーバと携帯端末とからなる文書閲覧システムにおいて、
前記処理サーバは、
前記携帯端末との間で情報の送受信を行う第１の通信手段と、
前記第１の通信手段を介して前記携帯端末から閲覧用の文章ファイルを示すファイル情報を受信すると、その受信したファイル情報に基づいてストレージから対応する文章ファイルを取得する手段と、
前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、
複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を前記携帯端末に送信し、前記携帯端末から前記縮小画像に対応する文章画像を示す表示情報を受信すると、該表示情報に対応する文章画像を前記第１の通信手段を介して前記携帯端末に送信させる第１の制御手段と、を備え、
前記携帯端末は、
ユーザの操作によりファイル情報、表示情報、及び文章画像の選択が可能な一覧から所望の縮小画像の選択を入力する入力手段と、
前記入力手段により入力されたファイル情報及び表示情報を前記処理サーバに送信するとともに、前記処理サーバから送信された文章画像を受信する第２の通信手段と、
前記第２の通信手段を介して受信した文章画像を表示する表示手段と、
前記処理サーバから表示情報と縮小画像とを受信すると、該表示情報に対応する文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる制御手段と、を備えたことを特徴とする文章閲覧システム。
【請求項２０】
処理サーバと携帯端末とからなる文書閲覧システムにおいて、
前記処理サーバは、
前記携帯端末との間で情報の送受信を行う第１の通信手段と、
前記第１の通信手段を介して前記携帯端末から閲覧用の文章ファイルを示すファイル情報を受信すると、その受信したファイル情報に基づいてストレージから対応する文章ファイルを取得する手段と、
前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、
複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記第１の通信手段を介して前記携帯端末に送信させる第１の制御手段と、を備え、
前記携帯端末は、
ユーザの操作によりファイル情報、表示情報、文章画像の保存を指示する情報、及び文章画像の選択が可能な一覧から所望の縮小画像の選択を入力する入力手段と、
前記入力手段により入力されたファイル情報及び表示情報を前記処理サーバに送信するとともに、前記処理サーバから送信された文章画像を受信する第２の通信手段と、
前記第２の通信手段を介して受信した文章画像を表示する表示手段と、
前記処理サーバから前記一覧を受信すると、該一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる第２の制御手段と、を備えたことを特徴とする文章閲覧システム。
【請求項２１】
処理サーバと携帯端末とからなる文書閲覧システムにおいて、
前記処理サーバは、
前記携帯端末との間で情報の送受信を行う第１の通信手段と、
前記第１の通信手段を介して前記携帯端末から閲覧用の文章ファイルを示すファイル情報を受信すると、その受信したファイル情報に基づいてストレージから対応する文章ファイルを取得する手段と、
前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、
複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている文章画像及び表示情報とともに、該表示情報に対応する文章画像の縮小画像を前記第１の通信手段を介して前記携帯端末に送信させる第１の制御手段と、を備え、
前記携帯端末は、
ユーザの操作によりファイル情報、表示情報、文章画像の保存を指示する情報、及び文章画像の選択が可能な一覧から所望の縮小画像の選択を入力する入力手段と、
前記入力手段により入力されたファイル情報及び表示情報を前記処理サーバに送信するとともに、前記処理サーバから送信された文章画像を受信する第２の通信手段と、
前記第２の通信手段を介して受信した文章画像を表示する表示手段と、
前記処理サーバから前記文章画像と表示情報と縮小画像とを受信すると、前記文章画像を第２の内部メモリに保存するとともに、前記表示情報に対応する文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を前記第２の内部メモリから読み出して前記表示手段に表示させる第２の制御手段と、を備えたことを特徴とする文章閲覧システム。
【請求項２２】
処理サーバと携帯端末とからなる文書閲覧システムにおいて、
前記処理サーバは、
前記携帯端末との間で情報の送受信を行う第１の通信手段と、
前記第１の通信手段を介して前記携帯端末から閲覧用の文章ファイルを示すファイル情報を受信すると、その受信したファイル情報に基づいてストレージから対応する文章ファイルを取得する手段と、
前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、
複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記第１の通信手段を介して前記携帯端末に送信させる第１の制御手段と、を備え、
前記携帯端末は、
ユーザの操作によりファイル情報、表示情報、文章画像の保存を指示する情報、及び文章画像の選択が可能な一覧から所望の縮小画像の選択を入力する入力手段と、
前記入力手段により入力されたファイル情報及び表示情報を前記処理サーバに送信するとともに、前記処理サーバから送信された文章画像を受信する第２の通信手段と、
前記第２の通信手段を介して受信した文章画像を表示する表示手段と、
前記処理サーバから前記一覧を受信すると、該一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる第２の制御手段と、を備えたことを特徴とする文章閲覧システム。
【請求項２３】
請求項１５から２２のいずれか１項に記載の文書閲覧システムを構成する処理サーバ。
【請求項２４】
請求項２３に記載の処理サーバを実現させるプログラム。
【発明の詳細な説明】
【技術分野】
【０００１】
本発明は文章閲覧システムの画面操作支援方法、文書閲覧システム、処理サーバ及びプログラムに係り、特に携帯電話等の表示画面が小さい携帯端末における文章閲覧時のユーザの画面操作の手間を軽減する技術に関する。
【背景技術】
【０００２】
近年、携帯電話でＷｅｂページを閲覧する機会が多く見受けられる。しかしながら、パーソナルコンピュータ（ＰＣ）向けＷｅｂページに加え、携帯電話向けＷｅｂページも作るのは大きな手間でコストがかかることから、Ｗｅｂページ制作側は携帯電話向けＷｅｂページの制作を避ける傾向にあり、ユーザが閲覧したいＷｅｂページに携帯電話向けのＷｅｂページが用意されていないことが少なくない。
【０００３】
画面サイズやダウンロード可能なファイルサイズがＰＣと比べて劣る携帯電話においてＰＣ向けＷｅｂページを閲覧する場合に、コンテンツファイルを分割して受信させ、複数のページにわたって表示させることが考えられるが、ＰＣでＷｅｂページを閲覧した場合と携帯電話でＷｅｂページを閲覧した場合とで、見た目の差異が生じてしまう。
【０００４】
また、携帯電話向けのマークアップ言語に変換することも考えられるが、デザイン崩れの問題が起こりやすい。
【０００５】
このような課題に対し、ＰＣ向けＷｅｂページを画像化してクライアント端末に表示する方法が提案されている（特許文献１）。
【０００６】
また、表示画面が小さい携帯端末では、ドキュメント全体の一部を拡大して表示することになるが、この場合、ドキュメント全体のどの領域が表示されているかを表示画面に表示すると、携帯端末での部分ドキュメントの表示領域に割り当てられる領域が狭くなるという課題がある。この課題を解決するために、音声を使用することにより携帯端末での部分ドキュメントの表示領域を確保しつつ、視認性を確保することができるドキュメント表示装置が提案されている（特許文献２）。
【０００７】
また、特許文献３に記載の表示制御装置は、携帯電話やＰＤＡ等の小さな表示画面しか備えていない装置であっても、その中に仮想表示する仮想画面を生成し、ユーザインターフェースより指示された表示情報を元に、仮想画面内に設定される表示領域を拡大又は縮小することで、違和感なしに携帯電話で作業を行えることを特徴としている。
【先行技術文献】
【特許文献】
【０００８】
【特許文献１】特開２００４−２２０２６０号公報
【特許文献２】特開２００６−７８６６４号公報
【特許文献３】特開２００５−１００１９９号公報
【発明の概要】
【発明が解決しようとする課題】
【０００９】
携帯端末の普及と処理能力の向上に伴い、ＰＣで作成された文章ファイルの文章、画像を携帯端末で閲覧することが可能になった。ＰＣでは解像度や画面領域が十分であるため、表示サイズの変更、閲覧領域の移動等の作業を行うことなく、文章ファイルの文章全体の閲覧が可能である。しかし、携帯端末の場合、ＰＣに比べて解像度や画面領域が極めて小さいために、閲覧領域の拡大、移動等の操作を繰り返し行う必要がある。
【００１０】
特許文献２、３に記載の発明は、いずれも部分領域の表示のみを言及しており、一度閲覧した表示画像であっても、その画像を再度表示させるためには、拡大率や位置の変更を指示する必要があり、そのため、ユーザに多くの作業を要求することになり、多くの手間が発生するという問題がある。
【００１１】
本発明はこのような事情に鑑みてなされたもので、一度閲覧した特定の表示領域の文章画像や複数のユーザにより閲覧された表示領域の文章画像をユーザの簡単な操作で再現することができる文章閲覧システムの画面操作支援方法、文書閲覧システム、処理サーバ及びプログラムを提供することを目的とする。
【課題を解決するための手段】
【００１２】
前記目的を達成するために請求項１に係る文章閲覧システムの画面操作支援方法は、携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、前記携帯端末は、ユーザの操作により前記表示手段に表示されている現在の文章画像の保存が指示されると、該文章画像とともに該文章画像の縮小画像を閲覧中の文章ファイルに関連付けて内部メモリに保存し、前記入力手段によりファイル情報が入力されると、該ファイル情報に対応する文章画像が前記内部メモリに保存されているか否かを確認し、前記ファイル情報に対応する文章画像が保存されていることが確認されると、該文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を前記内部メモリから読み出して前記表示手段に表示させることを特徴としている。
【００１３】
請求項１に係る発明によれば、携帯端末の入力手段による表示情報（全画像内の表示する文章画像の位置、大きさ（幅、高さ）、拡大・縮小率など）の入力により所望の文章画像が表示されたのち、現在表示されている文章画像の保存が指示されると、該文章画像とともに該文章画像の縮小画像を、閲覧中の文章ファイルに関連付けて内部メモリに保存しておき、その後、ファイル情報が入力されると、該ファイル情報に対応する文章画像が前記内部メモリに保存されているか否かを確認する。そして、前記ファイル情報に対応する文章画像が保存されていることが確認されると、該文章画像の縮小画像を含む前記文章画像の選択が可能な一覧を前記表示手段に表示させ、この一覧上で過去に閲覧した文章画像の選択を促す。ユーザの操作により前記表示手段に表示された一覧から所望の縮小画像が選択されると、該縮小画像に対応する文章画像を前記内部メモリから読み出して前記表示手段に表示させるようにしている。これにより、一度閲覧して保存が指示された文章画像を再度閲覧する場合、閲覧する領域を指定するための拡大、移動等の繰り返し操作を行うことなく、前記一覧から所望の縮小画像を選択するだけで閲覧することができ、ユーザの手間を軽減することができる。また、処理サーバとの間で通信が発生しないため、通信料の削減及び圏外での利用が可能になるという効果がある。
【００１４】
請求項２に係る文章閲覧システムの画面操作支援方法は、携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、前記携帯端末は、ユーザの操作により前記表示手段に表示されている現在の文章画像の保存が指示されると、該保存指示された文章画像を示す表示情報を前記処理サーバに送信し、前記処理サーバは、前記保存指示された文章画像を示す表示情報を受信すると、閲覧中の文章ファイルに関連付けて前記保存指示された文章画像に対応する表示情報を第１の内部メモリに保存し、前記処理サーバは、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を前記携帯端末に送信し、前記携帯端末は、前記表示情報と縮小画像とを受信すると、該表示情報に対応する文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を示す表示情報を前記処理サーバに送信し、前記処理サーバは、前記縮小画像に対応する文章画像を示す表示情報を受信すると、該表示情報に対応する文章画像を前記携帯端末に送信し、前記携帯端末は、前記送信された文章画像を前記表示手段に表示することを特徴としている。
【００１５】
請求項２に係る発明は、ユーザの操作により保存が指示された文章画像を示す表示情報等を前記処理サーバ側の第１の内部メモリに保存している点で、請求項１に係る発明と相違している。従って、前記処理サーバは、前記携帯端末からファイル情報を受信すると、該ファイル情報に対応する表示情報が前記第１の内部メモリに保存されているか否かを確認する。そして、前記ファイル情報に対応する文章画像が保存されていることが確認されると、前記ファイル情報に関連付けて前記第１の内部メモリに保存されている表示情報とともに、該表示情報に対応する文章画像の縮小画像を前記携帯端末に送信し、前記携帯端末は、前記表示情報と縮小画像とを受信すると、該表示情報に対応する文章画像の縮小画像を含む前記文章画像の選択が可能な一覧を前記表示手段に表示させ、この一覧上で過去に閲覧した文章画像の選択を促す。ユーザの操作により前記表示手段に表示された一覧から所望の縮小画像が選択されると、該縮小画像に対応する文章画像を示す表示情報を前記処理サーバに送信し、前記処理サーバから文章画像を取得し、この取得した文章画像を前記表示手段に表示するようにしている。これにより、一度閲覧して保存が指示された文章画像を再度閲覧する場合、閲覧する領域を指定するための拡大、移動等の繰り返し操作を行うことなく、前記一覧から所望の縮小画像を選択するだけで閲覧することができ、ユーザの手間を軽減することができる。また、閲覧した文章画像が携帯端末に残らないようにすることができ、高いセキュリティレベルを確保することができる。
【００１６】
請求項３に係る文章閲覧システムの画面操作支援方法は、携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、前記携帯端末は、ユーザの操作により前記表示手段に表示されている現在の文章画像の保存が指示されると、該保存指示された文章画像を示す表示情報を前記処理サーバに送信し、前記処理サーバは、前記保存指示された文章画像を示す表示情報を受信すると、閲覧中の文章ファイルに関連付けて前記保存指示された文章画像に対応する表示情報を第１の内部メモリに保存し、前記処理サーバは、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記携帯端末に送信し、前記携帯端末は、前記一覧を受信すると、該一覧を前記表示手段に表示させ、ユーザの操作により前記表示手段に表示された一覧から所望の縮小画像が選択されると、該縮小画像に対応する文章画像を示す表示情報を前記処理サーバに送信し、前記処理サーバは、前記縮小画像に対応する文章画像を示す表示情報を受信すると、該表示情報に対応する文章画像を前記携帯端末に送信し、前記携帯端末は、前記送信された文章画像を前記表示手段に表示することを特徴としている。
【００１７】
請求項３に係る発明は、請求項２に係る発明と比較して、前記一覧を処理サーバ側で作成して携帯端末側に送信している点で相違している。
【００１８】
請求項４に係る文章閲覧システムの画面操作支援方法は、携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、前記携帯端末は、ユーザの操作により前記表示手段に表示されている現在の文章画像の保存が指示されると、該保存指示された文章画像を示す表示情報を前記処理サーバに送信し、前記処理サーバは、前記保存指示された文章画像を示す表示情報を受信すると、閲覧中の文章ファイルに関連付けて前記保存指示された文章画像とともに該文章画像に対応する表示情報を第１の内部メモリに保存し、前記処理サーバは、前記携帯端末からファイル情報を受信すると、該ファイル情報に対応する文章画像が前記第１の内部メモリに保存されているか否かを確認し、保存されていることが確認されると、該ファイル情報に関連付けて前記第１の内部メモリに保存されている文章画像及び表示情報とともに、該表示情報に対応する文章画像の縮小画像を前記携帯端末に送信し、前記携帯端末は、前記文章画像と表示情報と縮小画像とを受信すると、前記文章画像を第２の内部メモリに保存するとともに、前記表示情報に対応する文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を前記第２の内部メモリから読み出して前記表示手段に表示させることを特徴としている。
【００１９】
請求項４に係る発明は、請求項２に係る発明の変形例であり、前記処理サーバは、前記携帯端末からファイル情報を受信し、該ファイル情報に対応する文章画像が前記第１の内部メモリに保存されていることを確認すると、前記ファイル情報に関連付けて前記第１の内部メモリに保存されている文章画像及び表示情報とともに、該表示情報に対応する文章画像の縮小画像を前記携帯端末に送信している点で、請求項２に係る発明と相違している。従って、その後、前記携帯端末の表示手段に表示された一覧から所望の縮小画像が選択された場合には、前記処理サーバから文章画像を取得せずに、前記携帯端末の第２の内部メモリから対応する文章画像を取得するようにしている。
【００２０】
請求項５に係る文章閲覧システムの画面操作支援方法は、携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、前記携帯端末は、ユーザの操作により前記表示手段に表示されている現在の文章画像の保存が指示されると、該保存指示された文章画像を示す表示情報を前記処理サーバに送信し、前記処理サーバは、前記保存指示された文章画像を示す表示情報を受信すると、閲覧中の文章ファイルに関連付けて前記保存指示された文章画像とともに該文章画像に対応する表示情報を第１の内部メモリに保存し、前記処理サーバは、前記携帯端末からファイル情報を受信すると、該ファイル情報に対応する文章画像が前記第１の内部メモリに保存されているか否かを確認し、保存されていることが確認されると、該ファイル情報に関連付けて前記第１の内部メモリに保存されている文章画像とともに、該表示情報に対応する文章画像の縮小画像を含む前記文章画像の選択が可能な一覧を前記携帯端末に送信し、前記携帯端末は、前記文章画像と一覧とを受信すると、前記文章画像を第２の内部メモリに保存するとともに、前記一覧を前記表示手段に表示させ、ユーザの操作により前記表示手段に表示された一覧から所望の縮小画像が選択されると、該縮小画像に対応する文章画像を前記第２の内部メモリから読み出して前記表示手段に表示させることを特徴としている。
【００２１】
請求項５に係る発明は、請求項４に係る発明と比較して、前記一覧を処理サーバ側で作成して携帯端末側に送信している点で相違している。
【００２２】
請求項６に係る文章閲覧システムの画面操作支援方法は、携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、前記処理サーバは、複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記処理サーバは、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を前記携帯端末に送信し、前記携帯端末は、前記表示情報と縮小画像とを受信すると、該表示情報に対応する文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を示す表示情報を前記処理サーバに送信し、前記処理サーバは、前記縮小画像に対応する文章画像を示す表示情報を受信すると、該表示情報に対応する文章画像を前記携帯端末に送信し、前記携帯端末は、前記送信された文章画像を前記表示手段に表示することを特徴としている。
【００２３】
請求項７に係る文章閲覧システムの画面操作支援方法は、携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、前記処理サーバは、複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記処理サーバは、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記携帯端末に送信し、前記携帯端末は、前記一覧を受信すると、該一覧を前記表示手段に表示させ、ユーザの操作により前記表示手段に表示された一覧から所望の縮小画像が選択されると、該縮小画像に対応する文章画像を示す表示情報を前記処理サーバに送信し、前記処理サーバは、前記縮小画像に対応する文章画像を示す表示情報を受信すると、該表示情報に対応する文章画像を前記携帯端末に送信し、前記携帯端末は、前記送信された文章画像を前記表示手段に表示することを特徴としている。
【００２４】
請求項８に係る文章閲覧システムの画面操作支援方法は、携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、前記処理サーバは、複数のユーザの携帯端末から受信した文章ファイルの文章中の表示領域を示す表示情報に基づいて閲覧頻度の高い文章画像に対応する表示情報を算出し、前記閲覧頻度の高い文章画像とともに該文章画像に対応する表示情報を前記文章ファイルに関連付けて第１の内部メモリに保存し、前記処理サーバは、前記携帯端末からファイル情報を受信すると、該ファイル情報に対応する文章画像が前記第１の内部メモリに保存されているか否かを確認し、保存されていることが確認されると、該ファイル情報に関連付けて前記第１の内部メモリに保存されている文章画像及び表示情報とともに、該表示情報に対応する文章画像の縮小画像を前記携帯端末に送信し、前記携帯端末は、前記文章画像と表示情報と縮小画像とを受信すると、前記文章画像を第２の内部メモリに保存するとともに、該表示情報に対応する文章画像の縮小画像を含む前記文章画像の選択が可能な一覧を前記表示手段に表示させ、ユーザの操作により前記表示手段に表示された一覧から所望の縮小画像が選択されると、該縮小画像に対応する文章画像を前記第２の内部メモリから読み出して前記表示手段に表示させることを特徴としている。
【００２５】
請求項９に係る文章閲覧システムの画面操作支援方法は、携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備えた処理サーバと、ユーザの操作によりファイル情報及び前記表示情報を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、を備えた携帯端末とからなる文章閲覧システムにおいて、前記処理サーバは、複数のユーザの携帯端末から受信した文章ファイルの文章中の表示領域を示す表示情報に基づいて閲覧頻度の高い文章画像に対応する表示情報を算出し、前記閲覧頻度の高い文章画像とともに該文章画像に対応する表示情報を前記文章ファイルに関連付けて第１の内部メモリに保存し、前記処理サーバは、前記携帯端末からファイル情報を受信すると、該ファイル情報に対応する文章画像が前記第１の内部メモリに保存されているか否かを確認し、保存されていることが確認されると、該ファイル情報に関連付けて前記第１の内部メモリに保存されている文章画像とともに、該表示情報に対応する文章画像の縮小画像を含む前記文章画像の選択が可能な一覧を前記携帯端末に送信し、前記携帯端末は、前記文章画像と一覧とを受信すると、前記文章画像を第２の内部メモリに保存するとともに、前記一覧を前記表示手段に表示させ、ユーザの操作により前記表示手段に表示された一覧から所望の縮小画像が選択されると、該縮小画像に対応する文章画像を前記第２の内部メモリから読み出して前記表示手段に表示させることを特徴としている。
【００２６】
上記請求項６から９に係る発明は、それぞれ請求項２から５に係る発明に対応しており、請求項２から５に係る発明は、それぞれ携帯端末に表示されている現在の文章画像に対応する情報をユーザからの保存指示に基づいてユーザ毎に保存するようにしているが、請求項６から９に係る発明は、複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報等を前記文章ファイルに関連付けて保存している点で相違する。即ち、各ユーザは、携帯端末上で現在閲覧している文章画像に関連した情報の保存指示を行う必要がない。
【００２７】
請求項１０に示すように請求項２、３、６又は７に記載の文章閲覧システムの画面操作支援方法において、前記処理サーバは、前記文章画像を前記文章ファイルに関連付けて前記第１の内部メモリに記録することを特徴としている。これによれば、前記処理サーバは、携帯端末から表示情報を受信すると、画像変換処理等を行わずに直ちに前記表示情報に対応する文章画像を携帯端末に送信することができる。
【００２８】
請求項１１に示すように請求項１から１０のいずれか１項に記載の文章閲覧システムの画面操作支援方法において、前記文章画像の選択が可能な一覧は、前記文章ファイルのファイル全体を示すサムネイル画像と、該ファイル全体を示すサムネイル画像上にマッピングされた前記文章画像に対応する領域を示す領域情報とを有し、前記携帯端末は、ユーザの操作により前記表示手段に表示された前記ファイル全体を示すサムネイル画像上にマッピングされた領域情報から所望の領域情報が選択されると、該選択された領域情報に対応する文章画像を前記表示手段に表示させることを特徴としている。ファイル全体を示すサムネイル画像上のマッピングされた領域情報を見ながら所望の領域情報を選択することができ、利便性、使いやすさの向上を図ることができる。
【００２９】
請求項１２に示すように請求項１に記載の文章閲覧システムの画面操作支援方法において、前記携帯端末は、前記第２の内部メモリに保存された文章画像のうち所定期間以上閲覧されていない文章画像、又は前記第２の内部メモリに新規の文章画像を記録する際に該第２の内部メモリの記憶容量を越える場合には保存時期の古い順に文章画像を削除することを特徴としている。
【００３０】
請求項１３に示すように請求項４、５、８又は９に記載の文章閲覧システムの画面操作支援方法において、前記携帯端末は、文章閲覧の終了後に前記第２の内部メモリに保存した情報を消去することを特徴としている。これによれば、文章閲覧終了後に文章画像が携帯端末に残らないようにすることができ、高いセキュリティレベルを確保することができる。
【００３１】
請求項１４に係る発明は、処理サーバと携帯端末とからなる文書閲覧システムにおいて、前記処理サーバは、前記携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、を備え、前記携帯端末は、ユーザの操作によりファイル情報、表示情報、文章画像の保存を指示する情報、及び文章画像の選択が可能な一覧から所望の縮小画像の選択を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、前記入力手段により前記表示手段に表示されている現在の文章画像の保存を指示する情報が入力されると、該文章画像とともに該文章画像の縮小画像を閲覧中の文章ファイルに関連付けて内部メモリに保存し、前記入力手段によりファイル情報が入力されると、該ファイル情報に対応する文章画像が前記内部メモリに保存されているか否かを確認し、前記ファイル情報に対応する文章画像が保存されていることが確認されると、該文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を前記内部メモリから読み出して前記表示手段に表示させる制御手段と、を備えたことを特徴としている。
【００３２】
請求項１５に係る発明は、処理サーバと携帯端末とからなる文書閲覧システムにおいて、前記処理サーバは、前記携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、前記携帯端末により保存指示された文章画像を示す表示情報を受信すると、該携帯端末で閲覧中の文章ファイルに関連付けて前記保存指示された文章画像に対応する表示情報を第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を前記携帯端末に送信する第１の制御手段と、を備え、前記携帯端末は、ユーザの操作によりファイル情報、表示情報、文章画像の保存を指示する情報、及び文章画像の選択が可能な一覧から所望の縮小画像の選択を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、前記処理サーバから表示情報と縮小画像とを受信すると、該表示情報に対応する文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる第２の制御手段と、を備えたことを特徴としている。
【００３３】
請求項１６に係る発明は、処理サーバと携帯端末とからなる文書閲覧システムにおいて、前記処理サーバは、前記携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、前記携帯端末により保存指示された文章画像を示す表示情報を受信すると、該携帯端末で閲覧中の文章ファイルに関連付けて前記保存指示された文章画像に対応する表示情報を第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記第１の通信手段を介して前記携帯端末に送信させる第１の制御手段と、を備え、前記携帯端末は、ユーザの操作によりファイル情報、表示情報、文章画像の保存を指示する情報、及び文章画像の選択が可能な一覧から所望の縮小画像の選択を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、前記処理サーバから前記一覧を受信すると、該一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる第２の制御手段と、を備えたことを特徴としている。
【００３４】
請求項１７に係る発明は、処理サーバと携帯端末とからなる文書閲覧システムにおいて、前記処理サーバは、前記携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、前記携帯端末により保存指示された文章画像を示す表示情報を受信すると、該携帯端末で閲覧中の文章ファイルに関連付けて前記保存指示された文章画像に対応する表示情報を第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている文章画像及び表示情報とともに、該表示情報に対応する文章画像の縮小画像を前記第１の通信手段を介して前記携帯端末に送信させる第１の制御手段と、を備え、前記携帯端末は、ユーザの操作によりファイル情報、表示情報、文章画像の保存を指示する情報、及び文章画像の選択が可能な一覧から所望の縮小画像の選択を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、前記処理サーバから前記文章画像と表示情報と縮小画像とを受信すると、前記文章画像を第２の内部メモリに保存するとともに、前記表示情報に対応する文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を前記第２の内部メモリから読み出して前記表示手段に表示させる第２の制御手段と、を備えたことを特徴としている。
【００３５】
請求項１８に係る発明は、処理サーバと携帯端末とからなる文書閲覧システムにおいて、前記処理サーバは、前記携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、前記携帯端末により保存指示された文章画像を示す表示情報を受信すると、該携帯端末で閲覧中の文章ファイルに関連付けて前記保存指示された文章画像に対応する表示情報を第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記第１の通信手段を介して前記携帯端末に送信させる第１の制御手段と、を備え、前記携帯端末は、ユーザの操作によりファイル情報、表示情報、文章画像の保存を指示する情報、及び文章画像の選択が可能な一覧から所望の縮小画像の選択を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、前記処理サーバから前記文章画像と一覧とを受信すると、前記文章画像を第２の内部メモリに保存するとともに、前記一覧を前記表示手段に表示させ、前記入力手段により前記表示手段に表示された一覧から所望の縮小画像が選択されると、該縮小画像に対応する文章画像を前記第２の内部メモリから読み出して前記表示手段に表示させる第２の制御手段と、を備えたことを特徴としている。
【００３６】
請求項１９に係る発明は、処理サーバと携帯端末とからなる文書閲覧システムにおいて、前記処理サーバは、前記携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を前記携帯端末に送信し、前記携帯端末から前記縮小画像に対応する文章画像を示す表示情報を受信すると、該表示情報に対応する文章画像を前記第１の通信手段を介して前記携帯端末に送信させる第１の制御手段と、を備え、前記携帯端末は、ユーザの操作によりファイル情報、表示情報、及び文章画像の選択が可能な一覧から所望の縮小画像の選択を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、前記処理サーバから表示情報と縮小画像とを受信すると、該表示情報に対応する文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる制御手段と、を備えたことを特徴としている。
【００３７】
請求項２０に係る発明は、処理サーバと携帯端末とからなる文書閲覧システムにおいて、前記処理サーバは、前記携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記第１の通信手段を介して前記携帯端末に送信させる第１の制御手段と、を備え、前記携帯端末は、ユーザの操作によりファイル情報、表示情報、文章画像の保存を指示する情報、及び文章画像の選択が可能な一覧から所望の縮小画像の選択を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、前記処理サーバから前記一覧を受信すると、該一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる第２の制御手段と、を備えたことを特徴としている。
【００３８】
請求項２１に係る発明は、処理サーバと携帯端末とからなる文書閲覧システムにおいて、前記処理サーバは、前記携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている文章画像及び表示情報とともに、該表示情報に対応する文章画像の縮小画像を前記第１の通信手段を介して前記携帯端末に送信させる第１の制御手段と、を備え、前記携帯端末は、ユーザの操作によりファイル情報、表示情報、文章画像の保存を指示する情報、及び文章画像の選択が可能な一覧から所望の縮小画像の選択を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、前記処理サーバから前記文章画像と表示情報と縮小画像とを受信すると、前記文章画像を第２の内部メモリに保存するとともに、前記表示情報に対応する文章画像の縮小画像を含む前記文章画像の選択が可能な一覧を前記表示手段に表示させ、前記入力手段により前記表示手段に表示された一覧から所望の縮小画像が選択されると、該縮小画像に対応する文章画像を前記第２の内部メモリから読み出して前記表示手段に表示させる第２の制御手段と、を備えたことを特徴としている。
【００３９】
請求項２２に係る発明は、処理サーバと携帯端末とからなる文書閲覧システムにおいて、前記処理サーバは、前記携帯端末との間で情報の送受信を行う第１の通信手段と、前記第１の通信手段を介して前記携帯端末から閲覧用の文章ファイルを示すファイル情報を受信すると、その受信したファイル情報に基づいてストレージから対応する文章ファイルを取得する手段と、前記取得した文章ファイルの文章情報を前記携帯端末での表示用の文章画像に変換する画像変換処理手段であって、前記携帯端末から文章ファイルの文章中の表示領域を示す表示情報を受信すると、その受信した表示情報に対応する文章画像となるように変換する画像変換処理手段と、複数のユーザの携帯端末から受信した文章ファイルの文章中の表示領域を示す表示情報に基づいて閲覧頻度の高い文章画像に対応する表示情報を算出し、前記閲覧頻度の高い文章画像に対応する表示情報を前記文章ファイルに関連付けて第１の内部メモリに保存し、前記携帯端末からファイル情報を受信すると、該ファイル情報に対応する表示情報が前記第１の内部メモリに保存されているか否かを確認し、保存されていることが確認されると、該ファイル情報に関連付けて前記第１の内部メモリに保存されている表示情報とともに、該表示情報に対応する文章画像の縮小画像を含む前記文章画像の選択が可能な一覧を前記第１の通信手段を介して前記携帯端末に送信させる第１の制御手段と、を備え、前記携帯端末は、ユーザの操作によりファイル情報、表示情報、文章画像の保存を指示する情報、及び文章画像の選択が可能な一覧から所望の縮小画像の選択を入力する入力手段と、前記入力手段により入力されたファイル情報及び表示情報を前記処理サーバに送信するとともに、前記処理サーバから送信された文章画像を受信する第２の通信手段と、前記第２の通信手段を介して受信した文章画像を表示する表示手段と、前記処理サーバから前記一覧を受信すると、該一覧を前記表示手段に表示させ、前記入力手段により前記表示手段に表示された一覧から所望の縮小画像が選択されると、該縮小画像に対応する文章画像を示す表示情報を前記第２の通信手段を介して前記処理サーバに送信させる第２の制御手段と、を備えたことを特徴としている。
【００４０】
請求項２３に係る発明は、請求項１５から２２のいずれか１項に記載の文書閲覧システムを構成する処理サーバである。
【００４１】
請求項２４に係る発明は、請求項２３に記載の処理サーバを実現させるプログラムである。
【発明の効果】
【００４２】
本発明によれば、一度閲覧した文章画像又は閲覧頻度の高い文章画像に対する表示情報（全画像内の表示する文章画像の位置、大きさ（幅、高さ）、拡大・縮小率など）等を保存するようにしたため、閲覧領域の拡大、移動等の繰り返し操作を行うことなく、一度閲覧した特定の表示領域の文章画像や複数のユーザにより閲覧された表示領域の文章画像をユーザの簡単な操作で再現することができる。
【図面の簡単な説明】
【００４３】
【図１】本発明に係る文章閲覧システムの全体構成を示すブロック図
【図２】文章閲覧システムの基本処理を示すフローチャート
【図３】本発明に係る文章閲覧システムの画面操作支援方法の第１の実施形態を示すフローチャート
【図４】携帯電話に表示されたファイル全体のサムネイル画像と保存指示された複数の文章画像を示す図
【図５】表示情報データスキーマの一例を示す図表
【図６】文章画像の選択が可能な一覧の実施形態を示す図
【図７】文章画像の選択が可能な一覧の他の実施形態を示す図
【図８】本発明に係る文章閲覧システムの画面操作支援方法の第２の実施形態を示すフローチャート
【図９】本発明に係る文章閲覧システムの画面操作支援方法の第３の実施形態を示すフローチャート
【図１０】本発明に係る文章閲覧システムの画面操作支援方法が適用される他の文章閲覧システムの全体構成を示すブロック図
【図１１】他の文章閲覧システムの基本処理を示すフローチャート
【図１２】本発明に係る文章閲覧システムの画面操作支援方法の第４の実施形態を示すフローチャート
【図１３】本発明に係る文章閲覧システムの画面操作支援方法の第５の実施形態を示すフローチャート
【発明を実施するための形態】
【００４４】
図１は本発明に係る文章閲覧システムの全体構成を示すブロック図である。
【００４５】
＜文章閲覧システムの全体構成＞
図１に示すように文章閲覧システム１００は、ユーザが使用する携帯端末（この実施の形態では、携帯電話）１０と処理サーバ２０とから構成されている。このシステムは、インターネット上のＷｅｂサーバやイントラネット上の社内サーバ等に設置されているストレージ３０に保存されているテキストデータを含む文章ファイルを、文章ファイルを直接閲覧することができない携帯電話１０でも閲覧可能にするものであるが、その処理の殆どは処理サーバ２０が担うシンクライアント型である。尚、ストレージ３０は、処理サーバ２０内に設置されたものでもよい。
【００４６】
携帯電話１０は、通信部１１、制御部１２、入力部１３、内部メモリ１４及び表示部１５を備えている。尚、携帯電話１０は、その他、通話用のスピーカやマイクロフォン等を備えているが、ここでは省略されている。
【００４７】
通信部１１は、所定のプロトコルにより処理サーバ２０との間で通信を制御する。
【００４８】
携帯電話１０と処理サーバ２０とは、インターネットを介して接続されており、通信部１１と後述する通信部２１とは、ＴＣＰ／ＩＰ等の標準的なインターネットプロトコルにしたがってそれぞれ通信を行う。尚、専用通信回線やＶＰＮを介して接続されてもよい。
【００４９】
制御部１２は、通信部１１を介して処理サーバ２０から取得した文章画像を表示部１５に表示させ、また、ユーザの入力部１３による入力操作に基づいた処理を行う。
【００５０】
入力部１３は、図示しない電源ボタン、番号キー、十字キー、決定キー等を含み、ユーザは、入力部１３を操作することにより、携帯電話１０を操作することができる。また、表示部１５の前面にタッチパネルを配置し、入力部１３として用いてもよい。
【００５１】
内部メモリ１４は、フラッシュメモリ等の不揮発性のメモリであり、文章閲覧システム１００での文章閲覧を行うためのアプリケーションソフト及び文章画像等が保存されるメモリ領域を有している。
【００５２】
表示部１５は、カラー表示が可能な液晶ディスプレイであり、制御部１２から入力された画像信号に基づいて、表示を行う。尚、液晶ディスプレイに代えて、有機ＥＬなど他の方式の表示装置を用いてもよい。
【００５３】
処理サーバ２０は、通信部２１と、機種判定部２２と、文章データ処理部２３と、画像変換処理部２４と、ハードディスク等の内部メモリ２５と、これらの各部の制御を司る制御部２６とを備えて構成されている。尚、処理サーバ２０は、本発明に係るプログラムを実行することにより後述する処理を行う。
【００５４】
通信部２１は、携帯電話１０との間で通信を制御する。
【００５５】
機種判定部２２は、処理サーバ２０と通信している携帯電話１０の機種を判定し、判定した機種に応じた携帯電話の画面サイズ、解像度等を含む情報を制御部２６に出力する。
【００５６】
文章データ処理部２３は、携帯電話１０からの閲覧要求（閲覧対象の文章ファイルを示すファイル情報（ＵＲＩ，ＵＲＬなど））に応じてファイル情報の実体である文章ファイルをストレージ３０から取得する。
【００５７】
画像変換処理部２４は、文章データ処理部２３及び制御部２６を介して文章ファイルを取得すると、該文章ファイルの文章（各種フォーマットの画像が埋め込まれたHTML文章等も含む）をレンダリングし、jpeg形式やbitmap形式等の携帯電話１０の表示部１５に表示可能な形式の画像ファイルに変換する。尚、画像変換処理部２４は、ファイル全体の画像を最大解像度の画像に変換して一時保持し、携帯電話からの表示情報（文章中の表示領域を示す情報）を元に、最大解像度の画像から携帯電話の画面サイズに最適化した画像に変換する。
【００５８】
内部メモリ２５には、ユーザ毎に所定のメモリ領域が割り当てられており、ユーザ毎のメモリ領域には、当該ユーザが過去に閲覧した文章ファイルに対する表示情報、文章画像等がファイル情報に関連付けて保存される。
【００５９】
＜文章閲覧システムの基本処理＞
この文章閲覧システム１００では、通常の文章閲覧時の基本処理と、本発明に係る画面操作支援方法による文章閲覧処理とが行われる。これらの処理は、携帯電話１０での入力部１３によりモード選択を行うことにより切り替えるようにしてもよいし、入力部１３のボタンを処理別に割り当てるようにしてもよい。
【００６０】
まず、通常の文章閲覧時の基本処理について、図２に示す文章閲覧システムの基本処理を示すフローチャートを参照しながら説明する。
【００６１】
［ステップＳ１０］
ユーザが携帯電話１０により所望の文章ファイルを閲覧する場合、ユーザは、携帯電話１０の内部メモリ１４に格納されている文章閲覧システム用のアプリケーションを起動し、その後、閲覧を希望する文章ファイルを示すファイル情報と携帯電話１０での表示領域を示す表示情報とを携帯電話１０の入力部１３により入力する。これらの情報は、処理サーバ２０に送信される。
【００６２】
尚、ファイル情報は、処理サーバ２０がストレージ３０から文章ファイルの実体を取得するための情報（例えば、ＵＲＩなど）である。また、表示情報は、ファイル全体の文章画像内における、携帯電話１０で表示される文章画像の位置、大きさ（幅、高さ）、拡大・縮小率などの情報である。また、携帯電話１０の機種情報も処理サーバ２０に送信される。
【００６３】
［ステップＳ１２〜Ｓ１６］
処理サーバ２０は、携帯電話１０から受信したファイル情報を元に、ストレージ３０からファイル情報に対応する文章ファイルの実体を取得する。
【００６４】
［ステップＳ１８〜Ｓ２２］
処理サーバ２０の画像変換処理部２４は、取得した文章ファイルの文章をレンダリングし、携帯電話１０に表示させることができる画像ファイルに変換するとともに、携帯電話１０の機種情報を元に取得した携帯電話１０の画面サイズに基づいて、その画面サイズに最適化した画像サイズの画像に変換する。この変換した画像の画像ファイルを配信先の携帯電話１０に送信する。
【００６５】
［ステップＳ２４〜Ｓ２６］
携帯電話１０は、処理サーバ２０から画像ファイルを受信すると、この受信した画像ファイルの文章画像を表示部１５に表示させる。
【００６６】
尚、携帯電話１０は、最初に閲覧しようとする文章ファイルのファイル情報のみを処理サーバ２０に送信し、処理サーバ２０は閲覧要求のあった文章ファイル全体を縮小した文章画像を携帯電話１０に送信する。このとき、文章ファイルのファイル全体の最大解像度の画像サイズと携帯電話１０の画面サイズとの比率により縮小する文章画像の縮小率が決定される。通常、画面サイズの小さい携帯電話１０にファイル全体を表示させる場合、縮小率が高くなるため、文字等を判読することができない。
【００６７】
そこで、ユーザは、表示されている文章画像を適宜拡大表示させるとともに、見たい領域に文章画像を移動（スクロール）させる画面操作を、入力部１３の拡大率の変更に割り当てられたボタン、文章画像のスクロールに割り当てられた十字キー等のボタンを操作することにより行う。この画面操作に伴う表示情報（文章画像の位置、大きさ（幅、高さ）、拡大・縮小率などの情報）は、処理サーバ２０に送信され、処理サーバ２０は受信した表示情報に基づいて、ファイル全体の最大解像度の文章画像から表示情報に対応する文章画像を切り出すとともに、切り出した文章画像を携帯電話１０の画面サイズに最適化して携帯電話１０に送信する。これにより、携帯電話１０では、文章ファイルのファイル全体の文章画像のうちの所望の領域の文章画像を閲覧することができる。
【００６８】
上記文章閲覧システムの基本処理時の携帯電話１０における画面操作は、ユーザに多くの操作が要求され、多くの手間が発生するため、これを解消するために本発明に係る画面操作支援方法が適用される。
【００６９】
＜画面操作支援方法＞
次に、本発明に係る文章閲覧システムの画面操作支援方法の実施形態について説明する。
【００７０】
〔第１の実施形態〕
図３は本発明に係る文章閲覧システムの画面操作支援方法の第１の実施形態を示すフローチャートである。
【００７１】
［ステップＳ３０］
まず、ユーザは、前述した文章閲覧システムの基本処理により所望の文章画像を携帯電話１０に表示させる。
【００７２】
［ステップＳ３２〜Ｓ３６］
ユーザは、携帯電話１０に表示される文章画像のうち、再度閲覧する可能性のある文章画像（関心のある文章画像）が表示された場合、入力部１３の操作により現在表示中の文章画像の保存を指示する。携帯電話１０は、保存の指示入力があると、現在表示中の文章画像を、そのファイル情報（ファイル名等）に関連付けて内部メモリ１４に保存する。
【００７３】
また、同時に現在表示中の文章画像に対する表示情報とファイル全体の縮小された画像（サムネイル画像）とをファイル情報に関連付けて内部メモリ１４に保存する。
【００７４】
図４（Ａ）は携帯電話１０に表示されたファイル全体のサムネイル画像の一例を示し、同図（Ｂ）は保存が指示された複数の文章画像を示す図である。
【００７５】
また、図５に表示情報データスキーマの一例を示す。同図に示すように、表示情報は、ファイル全体の最大解像度の文章画像における表示領域を示す情報であって、最大解像度の文章画像中の表示領域の開始座標（ｘ，ｙ）と、横幅（画素数）、縦幅（画素数）とからなる。また、ファイル全体のサムネイル画像は、所望の文章ファイルを最初に閲覧する際に処理サーバ２０から送信されるため、これを一時保持しておき、文章画像の保存が指示されたときに、ファイル情報に関連付けて内部メモリ１４に保存する。
【００７６】
上記のようにして文章閲覧システムの基本処理の実行中に文章画像の保存処理が実行され、基本処理の実行を終了させると、文章閲覧システムのアプリケーションが終了する。
【００７７】
［ステップＳ４０〜Ｓ４２］
図３に戻って、その後、文章閲覧システムのアプリケーションを起動し、かつ画面操作支援方法による文章閲覧処理が選択された状態で、ユーザが携帯電話１０により所望の文章ファイルの閲覧を指示すると、携帯電話１０は、携帯電話１０の内部メモリ１４内に、該当ファイルに対応する文章画像が保存されているかを確認する。尚、該当ファイルに対応する文章画像が保存されている否かは、図５に示したデータスキーマに、閲覧指示された文章ファイルのファイル情報（ファイル名）、又は表示情報等が保存されているか否かにより確認することができる。
【００７８】
［ステップＳ４４〜Ｓ４８］
内部メモリ１４内に、該当ファイルの文章画像が保存されている場合には、携帯電話１０は、文章画像の選択が可能な一覧を表示する。
【００７９】
ここで、文章画像の選択が可能な一覧は、内部メモリ１４に保存したファイル全体のサムネイル画像と表示情報とに基づいて、図６に示すようにサムネイル画像上に表示情報が示す文章画像の領域（破線で示した枠）をマッピングしてなる画像と、このサムネイル画像上の各文章画像の領域とこれらの領域に対応する文章画像又は該文章画像の表示情報とを関連付けた情報とからなる。
【００８０】
一方、該当ファイルの文章画像が保存されていない場合には、携帯電話１０は、文章閲覧システムの基本処理を実行する。尚、自動的に基本処理に遷移させずに、該当ファイルの文章画像が保存されていない旨を表示し、マニュアル操作で文章閲覧システムの基本処理に移行させるように促すようにしてもよい。
【００８１】
［ステップＳ５０〜Ｓ５２］
図３に戻って、ユーザは、文章画像の選択が可能な一覧上で、所望の文章画像の領域にカーソル（図示せず）を移動させ、又は文章画像の領域にタッチすることにより、閲覧したい文章画像の選択を行う。
【００８２】
上記のようにして文章画像の選択が行われると、携帯電話１０は、内部メモリ１４に保存された文章画像を取得し、取得した文章画像を表示部１５に表示する。尚、サムネイル画像上の各文章画像の領域とこれらの領域に対応する文章画像とは関連付けられているため、一覧上で所望の文章画像の領域を選択することにより、内部メモリ１４に保存されている文章画像を特定することができる。
【００８３】
このように文章画像の選択が可能な一覧（画像）上で、拡大して閲覧する文章画像を選択することができるため、一度閲覧した文章画像を簡単に見つけることができ、かつ前回閲覧した文章画像の表示状態と同じ表示状態で文章画像を閲覧することができる。
【００８４】
〔文章画像の選択が可能な一覧の他の実施形態〕
図７（Ａ）及び（Ｂ）は文章画像の選択が可能な一覧の他の実施形態を示す図である。
【００８５】
図７（Ａ）及び（Ｂ）はそれぞれ白地に各文章画像の縮小画像を貼り付けてなる一覧を示しており、図７（Ａ）に示す一覧は、各文章画像の位置に応じて白地上の対応する位置に縮小画像を貼り付けて構成され、図７（Ｂ）に示す一覧は、文章画像の保存順に各文章画像の縮小画像を白地上に整列配置して構成されている。
【００８６】
これらの一覧は、ファイル全体のサムネイル画像（図６参照）がなくても文章画像があれば作成することができ、また、図７（Ｂ）に示す一覧は、表示情報がなくても作成することができる。但し、一覧上の縮小画像の位置とその位置の縮小画像に対応する文章画像とは、文章画像を取得するために別途関連付けておく必要がある。
【００８７】
尚、第１の実施形態では、文章画像の保存が指示された文章画像を携帯電話１０の内部メモリ１４に保存するようにしたため、内部メモリ１４のメモリ領域が一杯になり、新たな文章画像を保存することができなくなることが考えられる。
【００８８】
そこで、内部メモリ１４に保存された文章画像のうち所定期間以上閲覧されていない文章画像が存在する場合には、その文章画像を自動的に削除して整理する方法や、内部メモリ１４に新規の情報を記録する際に内部メモリ１４の記憶容量を越える場合には、保存時期の古い順に文章画像を削除し、空き容量を確保する方法がある。
【００８９】
〔第２の実施形態〕
図８は本発明に係る文章閲覧システムの画面操作支援方法の第２の実施形態を示すフローチャートである。
【００９０】
第１の実施形態では、文章画像等を携帯電話１０に保存するようにしたが、第２の実施形態では、処理サーバ２０側に保存する点で相違する。
【００９１】
［ステップＳ６０］
まず、ユーザは、文章閲覧システムの基本処理により所望の文章画像を携帯電話１０に表示させる。
【００９２】
［ステップＳ６２〜Ｓ６４］
ユーザは、携帯電話１０に表示される文章画像のうち、再度閲覧する可能性のある文章画像（関心のある文章画像）が表示された場合、入力部１３の操作により現在表示中の文章画像の保存を指示する。携帯電話１０は、保存の指示入力があると、現在表示中の文章画像に対応する表示情報を処理サーバ２０に通知する。
【００９３】
［ステップＳ６６〜Ｓ６８］
処理サーバ２０は、携帯電話１０から表示情報を受け取ると、その表示情報を対応するファイル情報に関連付けて内部メモリ２５に保存する。また、同時に前記表示情報に対応する文章画像及びファイル全体のサムネイル画像もファイル情報に関連付けて内部メモリ２５に保存する。尚、処理サーバ２０は、携帯電話１０に表示されている文章画像（最新の送信画像）やその文章ファイルを知っているため、これらの情報は携帯電話１０から受け取らなくてもよい。また、処理サーバ２０は、携帯電話１０に表示されている文章画像の表示情報も知っているため、携帯電話１０からは現在表示中の文章画像を保存する保存指示を受け取るだけでもよい。
【００９４】
［ステップＳ７０］
上記のようにして文章閲覧システムの基本処理の実行中に処理サーバ２０にて文章画像の保存処理が実行され、その後、基本処理の実行を終了させると、文章閲覧システムのアプリケーションが終了する。
【００９５】
［ステップＳ７２〜Ｓ７４］
その後、文章閲覧システムのアプリケーションを起動し、かつ画面操作支援方法による文章閲覧処理が選択された状態で、ユーザが携帯電話１０により所望の文章ファイルの閲覧を指示すると、携帯電話１０は、該当ファイルのファイル情報を処理サーバ２０に通知する。
【００９６】
［ステップＳ７６〜Ｓ８０］
処理サーバ２０は、携帯電話１０からファイル情報を受け取ると、そのファイル情報に対応する表示情報が内部メモリ２５に保存されているかを確認し、保存されている場合には内部メモリ２５から表示情報とファイル全体のサムネイル画像を取得し、これらの情報を携帯電話１０に送信する。尚、表示情報が保存されていない場合は、第１の実施形態と同様に文章閲覧システムの基本処理の実行に遷移する。
【００９７】
［ステップＳ８２］
携帯電話１０は、処理サーバ２０から上記表示情報とサムネイル画像とを受信すると、これらの情報を内部メモリ１４に保存するとともに、これらの情報に基づいて文章画像の選択が可能な一覧（図６参照）を作成し、作成した一覧を表示する。
【００９８】
［ステップＳ８４〜Ｓ８６］
その後、ユーザは、携帯電話１０に表示されている文章画像の選択が可能な一覧上で、所望の文章画像の選択を行う。文章画像の選択が行われると、携帯電話１０は、選択された文章画像を示す表示情報（処理サーバ２０から予め受信した表示情報のうちの前記選択された文章画像を示す表示情報）を処理サーバ２０に通知する。
【００９９】
［ステップＳ８８］
処理サーバ２０は、携帯電話１０から上記表示情報を受け取ると、この表示情報に対応する文章画像を内部メモリ２５から読み出し、この読み出した文章画像を携帯電話１０に送信する。
【０１００】
［ステップＳ９０］
携帯電話１０は、処理サーバ２０から受信した文章画像を表示部１５に表示する。
【０１０１】
このように文章画像の選択が可能な一覧上で、拡大して閲覧する文章画像を選択するだけで、その文章画像に対応する表示情報を処理サーバ２０に送信することができるとともに、処理サーバ２０から送信される文章画像を前回閲覧した文章画像の表示状態と同じ表示状態で閲覧することができる。
【０１０２】
〔第３の実施形態〕
図９は本発明に係る文章閲覧システムの画面操作支援方法の第３の実施形態を示すフローチャートである。尚、図８に示した第２の実施形態と共通する部分には、同一のステップ番号を付し、その詳細な説明は省略する。
【０１０３】
第３の実施形態は、第２の実施形態の変形例である。即ち、第２の実施形態では、閲覧要求の最初にファイル全体のサムネイル画像と表示情報のみ送信しており、文章画像を再生する際は、再度、処理サーバ２０に実体の画像ファイルを要求しているが、第３の実施形態では、最初に文章画像の画像ファイルも携帯電話１０に配信し、携帯電話１０の内部メモリ１４に保存させている点で相違する。
【０１０４】
［ステップＳ６０〜Ｓ７８］
ステップＳ６０〜ステップＳ７８までの処理は、図８に示した第２の実施形態と同一である。
【０１０５】
［ステップＳ７６、Ｓ７８、Ｓ１００］
処理サーバ２０は、携帯電話１０からファイル情報を受け取ると、そのファイル情報に対応する表示情報が内部メモリ２５に保存されているかを確認し、保存されている場合には内部メモリ２５から表示情報とファイル全体のサムネイル画像と文章画像とを取得し、これらの情報を携帯電話１０に送信する。即ち、第２の実施形態のステップＳ８０では、表示情報とサムネイル画像とを携帯電話１０に送信しているが、第３の実施形態のステップＳ１００では、表示情報及びサムネイル画像に加え、文章画像も送信している点で相違する。
【０１０６】
［ステップＳ１０２］
携帯電話１０は、処理サーバ２０から上記表示情報とサムネイル画像と文章画像とを受信すると、これらの情報を内部メモリ１４に保存する。
【０１０７】
［ステップＳ８２〜Ｓ８４］
文章画像の選択が可能な一覧の作成表示、及び一覧上での所望の文章画像の選択処理は、第２の実施形態と同様に行われる。
【０１０８】
［ステップＳ１０４〜Ｓ１０６］
携帯電話１０は、一覧上で文章画像の選択が行われると、選択された文章画像を内部メモリ１４から読み出し、この読み出した文章画像を表示部１５に表示する。
【０１０９】
その後、文章閲覧の終了（アプリケーション終了）が指示されると、携帯電話１０は、内部メモリ１４に保存した文章画像等を消去する。これにより、文章閲覧終了後に文章画像が携帯電話１０に残らないようにすることができ、高いセキュリティレベルを確保することができる。
【０１１０】
第３の実施形態は、第２の実施形態に比べて最小の通信量が増えてしまう短所があるが、一度、携帯電話１０内の内部メモリ１４に文章画像を一時保存することで、それ以降の処理サーバ２０との通信は発生せず、地下鉄など電波状況が変化する環境で利用する際に有利である。
【０１１１】
図１０は本発明に係る文章閲覧システムの画面操作支援方法が適用される他の文章閲覧システムの全体構成を示すブロック図である。尚、図１と共通する部分には同一の符号を付し、その詳細な説明は省略する。
【０１１２】
図１０に示す文章閲覧システム１００’は、処理サーバ２０’内に領域演算部２７が追加されている点で、図１に示した処理サーバ２０と異なる。
【０１１３】
領域演算部２７は、複数のユーザの携帯電話から受信した表示情報に基づいて閲覧頻度の高い文章画像の領域を算出する。即ち、領域演算部２７は、文章ファイル毎に複数のユーザがリクエストして閲覧した文章画像を示す表示情報を保存し、文章ファイル毎に閲覧頻度の高い上位所定数の文章画像を決定する。そして、決定した文章画像毎の複数の表示情報から共通領域を算出する。これは、各ユーザが略同じ領域の文章画像を閲覧している場合でもその文章画像の倍率及び位置が完全に一致する場合は少ないため、共通領域を演算し、共通領域を示す表示情報を求める。尚、共通領域を求める場合に限らず、各ユーザが閲覧した略同じ領域の文章画像の平均的な領域、又は略同じ領域の全領域を包含する最小領域を求めるようにしてもよい。
【０１１４】
領域演算部２７により算出された文章画像の領域を示す表示情報は、ファイル情報に関連付けて内部メモリ２５に保存される。
【０１１５】
図１１は上記文章閲覧システム１００’の基本処理を示すフローチャートである。尚、図２に示した処理と共通する部分には同一のステップ番号を付し、その詳細な説明は省略する。
【０１１６】
この文章閲覧システム１００’の基本処理は、処理サーバ２０’において、ステップＳ２１の処理が追加されている点で、図２に示した文章閲覧システム１００の基本処理と相違する。
【０１１７】
［ステップＳ２１］
処理サーバ２０’の領域演算部２７は、複数のユーザの携帯電話から受信した表示情報に基づいて閲覧頻度の高い文章画像の領域を算出し、その領域を示す表示情報をファイル情報に関連付けて内部メモリ２５に保存させる。
【０１１８】
尚、上記の実施形態では、文章閲覧システム１００’の基本処理時に複数のユーザが閲覧した文章画像の閲覧頻度に基づいて頻度の高い文章画像に対応する領域を算出し、その領域を示す表示情報を保存するようにしたが、以下に示す文章閲覧システムの画面操作支援方法により閲覧された文章画像もその文章画像の閲覧回数としてカウントするようにしてもよい。
【０１１９】
〔第４の実施形態〕
図１２は本発明に係る文章閲覧システムの画面操作支援方法の第４の実施形態を示すフローチャートである。尚、図８に示した第２の実施形態と共通する部分には、同一のステップ番号を付し、その詳細な説明は省略する。
【０１２０】
第２の実施形態は、ユーザ自身が自分で閲覧した文章画像の保存を処理サーバ２０に指示しているのに対し、第４の実施形態では、処理サーバ２０’が複数のユーザが閲覧した文章画像のうち閲覧頻度の高い文章画像の領域を算出し、その領域を示す表示情報等を保存している点で相違する。
【０１２１】
即ち、第４の実施形態は、図８に示した第２の実施形態におけるステップＳ７８とＳ８０との間に、ステップＳ７９の処理が追加されている点で相違する。
【０１２２】
［ステップＳ７９］
処理サーバ２０’は、複数のユーザの携帯電話から受信した表示情報に基づいて閲覧頻度の高い文章画像の領域を算出し、その領域を示す表示情報をファイル情報に関連付けて内部メモリ２５に保存する。
【０１２３】
第４の実施形態によれば、第２の実施形態に比べて各ユーザが文章画像の保存を処理サーバに指示しなくても、多くのユーザが閲覧した文章画像を簡単に閲覧することができるという利点がある。
【０１２４】
〔第５の実施形態〕
図１３は本発明に係る文章閲覧システムの画面操作支援方法の第５の実施形態を示すフローチャートである。尚、図９に示した第３の実施形態、及び図１２に示した第４の実施形態と共通する部分には、同一のステップ番号を付し、その詳細な説明は省略する。
【０１２５】
第５の実施形態は、第３の実施形態と第４の実施形態とを組み合わせたものであり、最初に文章画像の画像ファイルを携帯電話１０に配信し、携帯電話１０の内部メモリ１４に保存させる点で第３の実施形態と共通し、処理サーバ２０’が複数のユーザが閲覧した文章画像のうち閲覧頻度の高い文章画像の領域を算出し、その領域を示す表示情報等を保存している点で第４の実施形態と共通している。
【０１２６】
即ち、第５の実施形態は、図１２に示した第４の実施形態におけるステップＳ８０の替わりに、ステップＳ８１の処理が行われる点で相違する。
【０１２７】
［ステップＳ８１］
処理サーバ２０’は、図１２に示した第４の実施形態では、表示情報とサムネイル画像とを送信しているのに対し、更に文章画像も送信している点で相違する。
【０１２８】
その後の携帯電話１０での処理（ステップＳ１０２、Ｓ８２、Ｓ８４、Ｓ１０４及びＳ１０６の処理）は、図９に示した第３の実施形態と同様に行われる。
【０１２９】
第５の実施形態によれば、第３の実施形態に比べて各ユーザが文章画像の保存を処理サーバに指示しなくても、多くのユーザが閲覧した文章画像を簡単に閲覧することができるという利点がある。
【０１３０】
〔その他〕
図８、図９、図１２及び図１３に示した第２から第５の実施形態では、それぞれ携帯電話１０が処理サーバから受信した表示情報とサムネイル画像とから文章画像の選択が可能な一覧を生成するようにしたが、これに限らず、処理サーバ側で文章画像の選択が可能な一覧を生成し、携帯電話に送信するようにしてもよい。この場合、第３及び第５の実施形態では、文章画像の選択が可能な一覧で選択した文章画像は、携帯電話の内部メモリから読み出すようにしているため、一覧で選択した文章画像の選択情報と、内部メモリに保存された文章画像とが関連付けられていれば、携帯電話が各文章画像を示す表示情報を持たなくてもよい（処理サーバは表示情報を携帯電話に送信しなくてもよい）。
【０１３１】
また、第２及び第４の実施形態では、各表示情報とともに各表示情報に対応する文章画像も処理サーバの内部メモリに保存するようにしたため、処理サーバは、携帯電話から表示情報を受け取ると、画像変換等の処理を行わずに直ちに対応する文章画像を携帯電話に送信することができる利点があるが、これに限らず、文章画像は処理サーバの内部メモリに保存せず、携帯電話から表示情報を受け取ると、その都度、受け取った表示情報に基づいて画像変換等の処理を行って生成した文章画像を携帯電話に送信するようにしてもよい。
【０１３２】
また、第１から第３の実施形態と第４から第５の実施形態とを適宜組み合わせ、自分が一度閲覧した文章画像を表示させる場合と、複数人が閲覧している文章画像を表示させる場合とを選択できるようにしてもよい。
【０１３３】
尚、本発明は上述した実施形態に限定されず、本発明の精神を逸脱しない範囲で種々の変形が可能であることは言うまでもない。
【符号の説明】
【０１３４】
１０…携帯電話、１１、２１…通信部、１２、２６…制御部、１３…入力部、１４、２５…内部メモリ、１５…表示部、２０、２０’…処理サーバ、２２…機種判定部、２３…文章データ処理部、２４…画像変換処理部、２７…領域演算部、１００、１００’…文章閲覧システム
【図１】
2012113351.tif 000003
【図２】
2012113351.tif 000004
【図３】
2012113351.tif 000005
【図４】
2012113351.tif 000006
【図５】
2012113351.tif 000007
【図６】
2012113351.tif 000008
【図７】
2012113351.tif 000009
【図８】
2012113351.tif 000010
【図９】
2012113351.tif 000011
【図１０】
2012113351.tif 000012
【図１１】
2012113351.tif 000013
【図１２】
2012113351.tif 000014
【図１３】
2012113351.tif 000015